(57)【要約】【課題】接続端子の接続部を開閉する構造にすることで、配電盤端子に容易に着脱できると共に、端子から外れることなく確実に接続する。【解決手段】略弓形状の把持部２ａ，２ｂの途中に形成した支点部３で、把持部２ａ，２ｂの一端に形成した略円弧形状の噛合部４ａ，４ｂが、配電盤端子５３のねじ棒５４を挟むように、合対向して連結した一対の端子本体５と、把持部２ａに電気的に接続したリード線５８とから成り、噛合部４ａ，４ｂの各開閉端６が、把持部２ａ，２ｂの長手方向とする中心線ＣＬから一方へずれるように、各噛合部４ａ，４ｂの大きさが異なるように構成した。【選択図】図１
2009176662.tif 000002
【特許請求の範囲】
【請求項１】
配電盤（５１）の電線を電気的に接続するために用いる試験用接続端子（１）であって、
略弓形状の把持部（２ａ，２ｂ）の途中に形成した支点部（３）で、該把持部（２ａ，２ｂ）の一端に形成した略円弧形状の噛合部（４ａ，４ｂ）が、配電盤端子（５３）のねじ棒（５４）を挟むように、合対向して連結した一対の端子本体（５）と、
前記把持部（２ａ，２ｂ）に電気的に接続したリード線（５８）と、から成り、
前記噛合部（４ａ，４ｂ）の各開閉端（６）が、前記把持部（２ａ，２ｂ）の長手方向とする中心線（ＣＬ）から一方へずれるように、各噛合部（４ａ，４ｂ）の大きさが異なるように構成した、ことを特徴とする開閉型試験用接続端子。
【請求項２】
前記噛合部（４ａ，４ｂ）の開閉端（６）が、前記把持部（２ａ，２ｂ）の長手方向とする中心線（ＣＬ）から一方へずれると共に、一方の噛合部（４ａ）の内周辺（１０）に、他方の噛合部（４ｂ）の開閉端（６）が倣うように可動する構造にした、ことを特徴とする請求項１の開閉型試験用接続端子。
【発明の詳細な説明】
【技術分野】
【０００１】
本発明は、配電盤、分電盤等の主回路の電圧、電流を試験計測する際に、配電盤端子等にリード線を接続する開閉型試験用接続端子に関する。
【背景技術】
【０００２】
配電盤には、過電流継電器、不足電圧継電器、電流計及び電圧計等が配設されている。図４に示すように、この配電盤５１は、そのドア等の前面板５２に左右一対からなる配電盤端子５３が配設されている。配電盤端子５３は、前面板５２に開けられた透孔にねじ棒５４を貫通固定し、このねじ棒５４に頭部ねじ５５を締め付けるものである。
【０００３】
例えば、丸型の試験用接続端子５６を使用するときは、配電盤端子５３の頭部ねじ５５を一旦取り外し、露出したねじ棒５４にこの丸型の試験用接続端子５６を通し、その上から頭部ねじ５５を締め付けていた。
【０００４】
また、図５に示すようなＹ型の試験用接続端子５７を使用するときは、配電盤端子５３の頭部ねじ５５を少し緩め、ねじ棒５４にこのＹ型の試験用接続端子５７を挿し込み、その上から頭部ねじ５５を締め付けていた。
【０００５】
このような電線の端末処理に使用する接続端子に関する技術が種々提案されている、例えば、特許文献１の実開平５−６７１８号公報の実開公報「電線接続端子」に示すように、配電盤，制御盤等の電線を電気的に接続するために用いる電線接続端子で、端子先端部がＵ字型に開放されており接続作業により脱落防止機構が自動的に形成される構造を備えた電線接続端子が提案されている。この特許文献１の「電線接続端子」によれば、接続作業が容易で、一旦締結した後はネジが完全に外れず、脱落しない安全性の高いというものであった。
【特許文献１】実開平５−６７１８号公報
【発明の開示】
【発明が解決しようとする課題】
【０００６】
しかし、従来の丸型の試験用接続端子５６では、一旦配電盤端子５３の頭部ねじ５５を取り外して接続する必要があり、配電盤５１における接続箇所が多数の場合は、その手間と時間がかかるという問題を有していた。
【０００７】
また、Ｙ型の試験用接続端子５７では、頭部ねじ５５の締付力が不足しているときは、リード線５８を緩く引っ張るような外力でも容易に抜けたり、この外れた試験用接続端子５７の先端部分が接触して短絡事故、地絡事故が発生しやすいという問題を有していた。
【０００８】
なお、特許文献１の「電線接続端子」では、Ｕ字型に開放された端子先端部の脱落防止機構（突起）がネジの周囲にはみ出しており、間隔の狭い端子には不向きであった。
【０００９】
本発明は、かかる問題点を解決するために創案されたものである。すなわち、本発明の目的は、接続端子の接続部を開閉する構造にすることで、配電盤端子に容易に着脱できると共に、端子から外れることなく確実に接続することができる開閉型試験用接続端子を提供することにある。
【課題を解決するための手段】
【００１０】
本発明によれば、配電盤（５１）の電線を電気的に接続するために用いる試験用接続端子（１）であって、略弓形状の把持部（２ａ，２ｂ）の途中に形成した支点部（３）で、該把持部（２ａ，２ｂ）の一端に形成した略円弧形状の噛合部（ｂ）が、配電盤端子（５３）のねじ棒（５４）を挟むように、合対向して連結した一対の端子本体（５）と、前記把持部（２ａ，２ｂ）に電気的に接続したリード線（５８）と、から成り、前記噛合部（４ａ，４ｂ）の各開閉端（６）が、前記把持部（２ａ，２ｂ）の長手方向とする中心線（ＣＬ）から一方へずれるように、各噛合部（４ａ，４ｂ）の大きさが異なるように構成した、ことを特徴とする開閉型試験用接続端子が提供される。
また、前記噛合部（４ａ，４ｂ）の開閉端（６）が、前記把持部（２ａ，２ｂ）の長手方向とする中心線（ＣＬ）から一方へずれると共に、一方の噛合部（４ａ）の内周辺（１０）に、他方の噛合部（４ｂ）の開閉端（６）が倣うように可動する構造にすることができる。
【発明の効果】
【００１１】
上記構成の発明では、配線時に、試験用接続端子（１）の把持部（２ａ，２ｂ）を手指で握り、先端の噛合部（４ａ，４ｂ）を開け、開閉端（６）の隙間からねじ棒（５４）に、この試験用接続端子（１）を挿し込み、その上から頭部ねじ（５５）を締め付けていた。試験が終了したら、頭部ねじ（５５）を緩め、試験用接続端子（１）の把持部（２ａ，２ｂ）を手指で握り、先端の噛合部（４ａ，４ｂ）を開け、ねじ棒（５４）から抜き取る。そこで、頭部ねじ（５５）の少量の緊緩のみで着脱作業が終了するので、作業員の負担軽減を図ることができる。
【００１２】
特に、本発明の試験用接続端子（１）の噛合部（４ａ，４ｂ）の各開閉端（６）が把持部（２ａ，２ｂ）の長手方向とする中心線（ＣＬ）から一方へずれるように、各噛合部（ｂ）の大きさが異なるように構成したので、例えばリード線（５８）を緩く引っ張るような外力が、一対の略円弧形状から成る把持部（２ａ，２ｂ）にかかっても、一方の噛合部（４ａ）が、ねじ棒（５４）に引っ掛かり、容易に抜けることがない。そこで、試験用接続端子（１）の短絡事故、地絡事故を防止することができる。
【００１３】
一方の噛合部（４ａ）の内周辺（１０）に、他方の噛合部（４ｂ）の開閉端（６）が倣うように可動する構成のものは、径が細いねじ棒（５４）、太いねじ棒（５４）の何れにも対応することができる。
【発明を実施するための最良の形態】
【００１４】
本発明の開閉型試験用接続端子は、把持部の途中に形成した支点部で、把持部の一端に形成した噛合部が、配電盤端子のねじ棒を挟むように、合対向して連結した一対の端子本体から成り、この噛合部の各開閉端が、把持部の長手方向とする中心線から一方へずれるように、各噛合部の大きさが異なるように構成した接続端子である。
【実施例１】
【００１５】
以下、本発明の好ましい実施の形態を図面を参照して説明する。
図１は実施例１の開閉型試験用接続端子を示す正面図であり、（ａ）は噛合部が閉じている状態、（ｂ）は噛合部を開け、ねじ棒に掛け止める状態である。図２は実施例１の開閉型試験用接続端子をねじ棒に掛け止めた状態を示す正面図である。
実施例１の開閉型試験用接続端子１は、把持部２ａ，２ｂの途中に形成した支点部３で、把持部２ａ，２ｂの一端に形成した噛合部４ａ，４ｂが、図４に示したように、配電盤端子５３のねじ棒５４を挟むように、合対向して連結した一対の端子本体５，５から成る接続端子である。この把持部２ａ，２ｂにリード線５８を電気的に接続したものである。
【００１６】
端子本体５の噛合部４ａ，４ｂは、配電盤端子５３のねじ棒５４を挟むように、開閉合する一対の略円弧形状から成る部材である。実施例１の噛合部４ａ，４ｂの各開閉端６は、把持部２ａ，２ｂの長手方向とする中心線ＣＬから一方へずれるように、各噛合部４ａ，４ｂの大きさが異なるように構成した。この突出角度αは、配電盤端子５３のねじ棒５４が引っ掛かる程度の長さが確保されれば十分である。図示例では、一方の噛合部２ａの開閉端６が、中心線ＣＬより、約２０度突出している。逆に他方の噛合部４ｂの開閉端６が、中心線ＣＬより、約２０度後退している。両者の開閉端６が接した状態で略円形状を形成するようになっている。この噛合部２ａの開閉端６の突出角度は２０度に限定されず、約４５度程度でもよい。
【００１７】
端子本体５の把持部２ａ，２ｂは、略弓形状になり、その途中に支点部３を形成し、この支点部３で合対向するように連結されている。また、この支点部３の連結軸７を挟むように、両把持部２ａ，２ｂを閉じるように付勢するばね等の弾性部材８を介在している。例えば、図示例の逆Ｕ字状のひげばね以外に、板ばね、コイルばねでもよい。
【００１８】
把持部２ａ，２ｂには、ゴム製又は合成樹脂製の筒状の絶縁性のカバー９で覆う。この把持部２ａ，２ｂは、このカバー９の上から手指で操作するようになっている。
【００１９】
このように構成した試験用接続端子１は、配線時に、カバー９即ち把持部２ａ，２ｂを手指で握り、先端の噛合部４ａ，４ｂを開け、各開閉端６の隙間から、ねじ棒５４に挿し込む。カバー９から手指を外すと、弾性部材８の作用で噛合部４ａ，４ｂが閉じる。この状態で、その上から頭部ねじ５５を締め付ける。
【００２０】
本発明の試験用接続端子１は、その噛合部４ａ，４ｂの各開閉端６が把持部２ａ，２ｂの長手方向とする中心線ＣＬから一方へずれるように、各噛合部４ａ，４ｂの大きさが異なるように構成したので、例えばリード線５８を緩く引っ張るような外力が把持部２ａ，２ｂにかかっても、一方の噛合部４ａが、ねじ棒５４に引っ掛かり、容易に抜けることがない。そこで、試験用接続端子１の短絡事故、地絡事故を防止することができる。
【００２１】
試験が終了したら、頭部ねじ５５を緩め、試験用接続端子１の把持部２ａ，２ｂを手指で握り、先端の噛合部４ｂを開け、ねじ棒５４から抜き取る。
【実施例２】
【００２２】
図３は実施例２の開閉型試験用接続端子を示す正面図であり、（ａ）は噛合部を開けた状態、（ｂ）は径が細いねじ棒に掛け止めた状態、（ｃ）は径が太いねじ棒に掛け止めた状態である。
実施例２の開閉型試験用接続端子１では、端子本体５の噛合部４ａ，４ｂの開閉端６が、把持部２ａ，２ｂの長手方向とする中心線ＣＬから一方へずれると共に、一方の噛合部４ａの内周辺１０に、他方の噛合部４ｂの開閉端６が倣うように可動する構造にした（図３（ａ）参照）。なお、弾性部材８とカバー９の構成は実施例１と同様であるので、その説明と図示を省略する。
【００２３】
このように実施例２の開閉型試験用接続端子１では、一方の噛合部４ａの内周辺１０に、他方の噛合部４ｂの開閉端６が倣うように可動することにより、径ｄ１が細いねじ棒５４、逆に径ｄ２が太いねじ棒５４の何れにも対応することができる（図３（ｂ），（ｃ））。実施例２の開閉型試験用接続端子１では、様々な太さのねじ棒５４に接続することができ、汎用性が高い。
【００２４】
なお、本発明は、試験用接続端子１の接続部を開閉する構造にすることで、配電盤端子５３に容易に着脱できると共に、配電盤端子５３から外れることなく、確実に接続することができれば、上述した発明の実施の形態に限定されず、本発明の要旨を逸脱しない範囲で種々変更できることは勿論である。
【産業上の利用可能性】
【００２５】
本発明の開閉型試験用接続端子は、配電盤以外に、分電盤等の接続端子などに利用することができる。
【図面の簡単な説明】
【００２６】
【図１】実施例１の開閉型試験用接続端子を示す正面図であり、（ａ）は噛合部が閉じている状態、（ｂ）は噛合部を開け、ねじ棒に掛け止める状態である。
【図２】実施例１の開閉型試験用接続端子をねじ棒に掛け止めた状態を示す正面図である。
【図３】実施例２の開閉型試験用接続端子を示す正面図であり、（ａ）は噛合部を開けた状態、（ｂ）は径が細いねじ棒に掛け止めた状態、（ｃ）は径が太いねじ棒に掛け止めた状態である。
【図４】配電盤の配電盤端子に丸型の試験用接続端子を締め付ける状態を示す斜視図である。
【図５】Ｙ丸型の試験用接続端子を締め付ける状態を示す斜視図である。
【符号の説明】
【００２７】
１  試験用接続端子
２ａ，２ｂ  把持部
３  支点部
４ａ，４ｂ  噛合部
５  端子本体
６  開閉端
１０  噛合部の内周辺
５３  配電盤端子
５４  ねじ棒
５８  リード線
ＣＬ  中心線
【図１】
2009176662.tif 000003
【図２】
2009176662.tif 000004
【図３】
2009176662.tif 000005
【図４】
2009176662.tif 000006
【図５】
2009176662.tif 000007